(57)【要約】【課題】本明細書は、コイルの側面とケース内面との間に圧縮された状態の伝熱シートが挟まれているコイルユニットに関し、製造が容易な構造を提供する。【解決手段】  本明細書が開示するコイルユニット２は、四角柱状のコイル５が直方体の内部空間ＳＰを有するケース１０に収容されている。ケース１０は、コイル５の捲回軸線に平行な４個の内面のうち、少なくとも一対の対向面の夫々とコイル５の側面との間に伝熱シート７が圧縮状態で挟まれている。ケース１０は、コイル５の捲回軸線と平行な４個の内面のうち、隣接する２個の内面（上内面３１ａと右内面３３ａ）を有する上ケース３と、残りの２個の内面（下内面３２ａと左内面３４ａ）を有する下ケース４に分割されている。上ケース３を下ケース４に組み合わせると、伝熱シート７が圧縮される。【選択図】図１
2019057644.tif 000002
【特許請求の範囲】
【請求項１】
四角柱状のコイルが直方体の内部空間を有するケースに収容されているコイルユニットであり、
前記ケースは、前記内部空間に面する内面であって前記コイルの捲回軸線と平行な４個の内面のうち、少なくとも一対の対向面の夫々と前記コイルの側面との間に伝熱シートが圧縮状態で挟まれており、
前記ケースは、前記４個の内面のうち隣接する２個の内面を有する第１分割ケースと、残りの２個の内面を有する第２分割ケースに分割されている、コイルユニット。
【発明の詳細な説明】
【技術分野】
【０００１】
本明細書が開示する技術は、四角柱状のコイルが直方体の内部空間を有するケースに収容されているコイルユニットに関する。
【背景技術】
【０００２】
四角柱状のコイルが直方体の内部空間を有するケースに収容されているコイルユニットが知られている。そのようなコイルユニットの一例が特許文献１に開示されている。特許文献１のコイルユニットのコイルは、リアクトルとして使われる。特許文献１のコイルユニットでは、コイルの熱を外部に放出するため、ケースの６個の内面のうち、コイルの捲回軸線に平行な４個の側面の夫々とコイルの側面との間に放熱シート（伝熱シート）が挟まれている。ケースは、内部空間を画定する６個の内面のうち５個の内面を構成するケース本体と、残りの１個の内面を構成するカバーに分かれている。
【先行技術文献】
【特許文献】
【０００３】
【特許文献１】特開２０１７−０２８２２１号公報
【発明の概要】
【発明が解決しようとする課題】
【０００４】
伝熱シートは圧縮された状態でコイルの側面とケースの内面との間に挟まれていることが好ましい。伝熱シートは圧縮されている方が非圧縮の状態よりも伝熱性が高いからである。特許文献１のケースの場合、対向する内面がケース本体に設けられている。それゆえ、コイルをケース本体に収容してから、圧縮した状態に保持された伝熱シートをケース内面とコイル側面の間に挿入するか、あるいは、コイルの側面に伝熱シートを押し当てて圧縮させた状態でケース本体に収容する必要がある。いずれにしても、ケース本体に収容する前の伝熱シートを圧縮状態に保持する治具が必要となる。あるいは、ケース本体に収容されたコイルとケース内面との間に伝熱シートを無理に挿入しようとすると、伝熱シートが傷むおそれがある。本明細書は、コイルの側面とケース内面との間に圧縮された状態の伝熱シートが挟まれているコイルユニットに関し、製造が容易な構造を提供する。
【課題を解決するための手段】
【０００５】
本明細書が開示するコイルユニットの一態様では、四角柱状のコイルが直方体の内部空間を有するケースに収容されている。直方体の内部空間の６個の内面のうち、コイルの捲回軸線に平行な４個の内面の夫々とコイルの側面との間に伝熱シートが圧縮状態で挟まれている。なお、後述するように、コイルの捲回軸線に平行な４個の内面のうち、少なくとも一対の対向面の夫々とコイルの側面との間に伝熱シートが圧縮状態で挟まれていればよい。また、コイルの端面とケース内面（捲回軸線に直交する内面）との間には伝熱シートは必ずしも挟まれていなくてもよい。そのケースは、捲回軸線に平行な４個の内面のうち、隣接する２個の内面を有する第１分割ケースと、残りの２個の内面を有する第２分割ケースに分割されている。このケースは、コイルを挟んで対向する平行な一対の内面の一方に当接する伝熱シートとコイルを第１分割ケースに収容し、他方の内面に当接する伝熱シートは第２分割ケースに収容し、その後に第１分割ケースと第２分割ケースを組み合わせる。第１、第２分割ケースを組み合わせる前は、伝熱シートは圧縮されている必要はない。第１、第２分割ケースを組み合わせるときに、夫々の伝熱シートが圧縮される。本明細書が開示するコイルユニットは、伝熱シートを圧縮された状態でケースに収容する工程が不要であり、製造が容易である。
【０００６】
本明細書が開示するコイルユニットの別の一態様では、ケースは、内部空間に面する内面であってコイルの捲回軸線に平行な４個の内面のうち、少なくとも一対の対向面の夫々とコイルの側面との間に伝熱シートが圧縮状態で挟まれていてもよい。従来のケースは、内部空間を画定する６個の内面のうち５個の内面を構成するケース本体と、残りの１個の内面を構成するカバーに分かれている。ケース本体の底面とカバーの内面とは対向する。ケース本体の底面とコイル側面との間に伝熱シートを挟むとともに、カバーの内面とコイルの別の側面との間に伝熱シートを挟む場合は、従来のケースでも簡単に一対の伝熱シートを圧縮することができる。しかしながら、ケース本体の内面のうち、対向する一対の内面の夫々とコイル側面との間に伝熱シートを挟む場合は、前述した課題を生じる。本明細書が開示するコイルユニットでは、一対の伝熱シートをケースの対向する内面の夫々とコイル側面との間に挟む場合、ケースの底面と天面に限定されずに容易に製造できる点で優れている。
【０００７】
本明細書が開示する技術の詳細とさらなる改良は以下の「発明を実施するための形態」にて説明する。
【図面の簡単な説明】
【０００８】
【図１】図１（Ａ）は、第１実施例のコイルユニットの正面図である。図１（Ｂ）は、第１実施例のコイルユニットの側面図である。
【図２】第１実施例のコイルユニットの製造工程を説明する図である（１）。
【図３】第１実施例のコイルユニットの製造工程を説明する図である（２）。
【図４】第１実施例のコイルユニットの製造工程を説明する図である（３）。
【図５】第１実施例のコイルユニットの製造工程を説明する図である（４）。
【図６】上ケースと下ケースの組み付け時のずれを説明する図である。
【図７】ボルトの締め付けで垂直方向と水平方向の両方に荷重が加わる構造を説明する図である。
【図８】垂直方向と水平方向の両方に同時に荷重が加わる別の構造を説明する図である。
【図９】垂直方向と水平方向の両方に同時に荷重が加わるさらに別の構造を説明する図である。
【図１０】第１変形例のコイルユニットの正面図である。
【図１１】第２変形例のコイルユニットの正面図である。
【図１２】第２実施例のコイルユニットの斜視図である（上ケースと下ケースが分離状態）。
【図１３】第２実施例のコイルユニットの斜視図である（上ケースと下ケースが結合状態）。
【発明を実施するための形態】
【０００９】
（第１実施例）図面を参照して第１実施例のコイルユニット２を説明する。実施例のコイルユニット２のコイルは、リアクトルとして用いられている。そのリアクトルは、例えばチョッパ型の電圧コンバータの回路部品として用いられる。
【００１０】
図１（Ａ）に、コイルユニット２の正面図を示し、図１（Ｂ）に、コイルユニット２の側面図を示す。説明の便宜上、図中の座標系のＺ軸正方向を「上」と定義し、Ｚ軸負方向を「下」と定義する。Ｘ軸正方向を「前」と定義し、Ｘ軸負方向を「後」と定義する。Ｙ軸正方向を「右」と定義し、Ｙ軸負方向を「左」と定義する。図中の座標系のＸ軸の方向は、コイル５の捲回軸線の方向に相当する。
【００１１】
コイルユニット２は、四角柱状のコイル５とコア６がケース１０に収容されているデバイスである。コア６に、コイル５が捲回されている。コイル５は、銅または銅合金の平角線をエッジワイズに捲回したものである。平角線は絶縁コーティングされており、隣接するピッチの平角線同士が短絡しないようになっている。絶縁コーディングは、エナメル、ポリイミド、ポリアミドなどの樹脂である。コア６は、金属粉末を焼結したものである。コイル５とコア６がリアクトルを構成する。図１（及び、以降の図）では、コイル５の引き出し線は図示を省略している。ケース１０には、引き出し線を外部へ導くスリットが設けられているが、そのスリットも図示を省略している。
【００１２】
ケース１０は、直方体の内部空間ＳＰを有しており、その内部空間ＳＰに四角柱形状のコイル５とコア６が収容されている。ケース１０は、上ケース３と下ケース４に分割されており、ボルト８ａ、８ｂで両者は連結されている。図１の符号ＰＬが示す実線が、上ケース３と下ケース４の分割線（パーティングライン）を示している。図１に示されているように、分割線ＰＬは、ケース１０をコイル５の捲回軸線方向（Ｘ方向）からみたときに、概ね、直方体の内部空間ＳＰの対角線に沿っている。
【００１３】
ケース１０（上ケース３と下ケース４）は、伝熱性に優れたアルミニウム合金を使ったダイキャスト製法で作られている。なお、ケース１０は、銅など別の金属で作られていてもよく、製造方法も鋳造やプレス成形であってもよい。
【００１４】
下ケース４は、下壁３２と左側壁３４を備えている。下壁３２の内面（下内面３２ａ）は、コイル５の４側面（上面５１ａ、下面５２ａ、右側面５３ａ、左側面５４ａ）のうち、下面５２ａと対向する。なお、本明細書では、「コイルの側面」とは、捲回軸線に平行な面を意味する。左側壁３４の内面（左内面３４ａ）は、コイル５の左側面５４ａと対向する。
【００１５】
上ケース３は、上壁３１と右側壁３３を備えている。上壁３１の内面（上内面３１ａ）は、コイル５の４側面（上面５１ａ、下面５２ａ、右側面５３ａ、左側面５４ａ）のうち、上面５１ａと対向する。右側壁３３の内面（右内面３３ａ）は、コイル５の右側面５３ａと対向する。別言すれば、下ケース４は、コイル５の捲回軸線（Ｘ軸）に平行な４個の内面（下内面３２ａ、左内面３４ａ、上内面３１ａ、右内面３３ａ）のうち、隣接する２個の内面（下内面３２ａと左内面３４ａ）を備えており、上ケース３は、残りの２個の内面（上内面３１ａ、右内面３３ａ）を備えている。
【００１６】
コイル５の各側面とケース１０の内面との間には伝熱シート７が挟まれている。伝熱シート７は、圧縮された状態でケース１０の内面とコイル５の側面との間に挟まれている。伝熱シート７が圧縮された状態で挟まれていることで、伝熱シート７を介してコイル５からケース１０へ熱が良く伝わる。上壁３１（上内面３１ａ）と右側壁３３（右内面３３ａ）を備えた上ケース３と、下壁３２（下内面３２ａ）と左側壁３４（左内面３４ａ）を備えた下ケース４に分割されているケース１０は、伝熱シート７を圧縮状態に保持する治具を要せずにケース１０の中で伝熱シート７を圧縮状態にすることができる。それゆえ、コイルユニット２は、組立容易性に優れている。次に、図２から図５を使ってコイルユニット２の製造方法を説明する。
【００１７】
まず、図２に示すように、下ケース４の隣接する左内面３４ａと下内面３２ａの夫々に伝熱シート７を貼着し、コイル５の隣接する２側面（左側面５４ａと下面５２ａ）が夫々伝熱シート７に密着するようにコイル５とコア６を下ケース４に取り付ける。
【００１８】
次に、図３に示すように、上ケース３の隣接する上内面３１ａと右内面３３ａの夫々に伝熱シート７を貼着する。そして、図４に示すように、分割線ＰＬを合わせるように、上ケース３を下ケース４に組み合わせる。最後に、図５に示すように、ボルト８ａ、８ｂで上ケース３を下ケース４に固定する。なお、このとき、図６に示すように、伝熱シート７が非圧縮状態の厚みのときには、上ケース３と下ケース４は、水平方向（Ｙ方向）と垂直方向（Ｚ方向）のいずれにも距離ｄＷのずれを生じる。上ケース３を下ケース４に組み付けるには、上ケース３に下方向と左方向の荷重を加えて距離ｄＷのずれを解消する必要がある。このときの荷重で全ての伝熱シート７は圧縮される。即ち、コイルユニット２は、上ケース３を下ケース４に組み付ける工程で同時に伝熱シート７を圧縮する。このようにコイルユニット２は、伝熱シート７を圧縮状態に保持する治具を要することなく伝熱シート７をケース１０の内部空間で圧縮することができる。コイルユニット２は、組立容易性に優れている。なお、下方向の荷重は、ボルト８ａ、８ｂを締め付けることで加えられる。左方向の荷重は、作業者、あるいは組み付け機械が加える。なお、水平方向（Ｙ方向）のずれｄＷと、垂直方向（Ｚ方向）のずれｄＷは、厳密に一致していなくともよい。ケースの寸法誤差やその他の要因により、水平方向（Ｙ方向）のずれｄＷと、垂直方向（Ｚ方向）のずれｄＷには、ある程度の相違があってもよい。
【００１９】
図７に、ボルトの締め付けで垂直方向と水平方向の両方の荷重を加えることのできる構造の一例を説明する。図７は、コイルユニット２ａの正面図と一部拡大図である。コイルユニット２ａは、上ケース３ａと下ケース４ａの分割線ＰＬが前のコイルユニット２の場合と異なっている。分割線ＰＬは、コイル５の捲回軸線方向（Ｘ方向）からみて、中心部分では内部空間の一方の対角方向に沿って延びており（分割線ＰＬａ）、ボルト８ｂと重なる範囲では、中心部分（分割線ＰＬａ）とは逆方向に傾いている（分割線ＰＬｂ）。ボルト８ｂを締め込んでいくと、上ケース３ａは、矢印Ａが示すように分割線ＰＬｂに沿って左下へ移動する。そうすると、上ケース３ａは、垂直方向と水平方向の双方で下ケース４ａに近づいていく。即ち、ボルト８ｂを締め付けていくと、ケース１０ａの上内面３１ａと下内面３２ａに貼着されている伝熱シート７には垂直方向の荷重が加わり、同時に、右内面３３ａと左内面３４ａに貼着されている伝熱シート７には水平方向の荷重が加わる。コイルユニット２ａは、コイルの４側面の夫々に接触している４個の伝熱シート７をボルトの締め付けで同時に圧縮することができる。
【００２０】
なお、図７の英字Ｂが示す図は、ボルト８ｂ付近の平面図であり、その下の一部拡大図に対応している。英字Ｂが示す平面図では、ボルト８ｂは仮想線で描いてある。符号２１は、ボルト８ｂを入れる深孔を示しており、符号２２は、ボルト８ｂを挿通する貫通孔を示している。貫通孔２２は、図中のＹ方向に長い長孔となっており、ボルト８ｂの締め付け方向（Ｚ方向）に対して上ケース３ａがＹ方向に移動できるようになっている。
【００２１】
図８を参照して、ボルト（ネジ）で上ケースと下ケースを締結することによって水平方向と垂直方向の双方に荷重を加えることのできる別の例を説明する。図８は、コイルユニット２ｂの正面図である。コイルユニット２ｂのケース１０ｂは、第１実施例のコイルユニット２と同様に、上ケース３ｂと下ケース４ｂに分割されている。上ケース３ｂは、コイル５の捲回軸線（Ｘ軸）と平行な４個の内面（上内面３１ａ、右内面３３ａ、下内面３２ａ、左内面３４ａ）のうち、隣接する２個の内面（上内面３１ａ、右内面３３ａ）を有しており、下ケース４ｂは、残りの２個の内面（下内面３２ａ、左内面３４ａ）を有している。コイル５の各側面と、各側面に対向する内面との間には、伝熱シート７が圧縮された状態で挟まれている。
【００２２】
上ケース３は皿ネジ１８ａ、１８ｂで下ケース４に固定される。皿ネジ１８ａは垂直方向（図中のＺ方向）に締め込まれ、皿ネジ１８ｂは水平方向（図中のＹ方向）に締め込まれる。それゆえ、皿ネジ１８ａを締めると上内面３１ａと下内面３２ａに貼着されている伝熱シート７に垂直方向の荷重が加わり、圧縮される。皿ネジ１８ｂを締めると右内面３３ａと左内面３４ａに貼着されている伝熱シート７に水平方向の荷重が加わり、圧縮される。こうして、コイルユニット２ｂは、直交する２方向に締め込まれる皿ネジ１８ａ、１８ｂによって、上ケース３ｂと下ケース４ｂを組み付ける際に、４個の伝熱シート７の夫々を圧縮することができる。
【００２３】
図９を参照して、ボルト（ネジ）で上ケースと下ケースを締結することによって水平方向と垂直方向の双方に荷重を加えることのできるさらに別の例を説明する。図９は、コイルユニット２ｃの正面図である。上ケース３ｃは、隣接する２個の内面（上内面３１ａと右内面３３ａ）を有しており、下ケース４ｃは、残りの隣接する２個の内面（下内面３２ａと左内面３４ａ）を有している。上ケース３ｃは、皿ネジ１８ａ、１８ｂによって、下ケース４ｃに固定される。上ケース３ｃと下ケース４ｃの分割線ＰＬは、コイル５の捲回軸線方向（図中のＸ方向）からみて、直方体の内部空間の右下がりの対角方向に延びている。皿ネジ１８ａ、１８ｂの締め付け方向は、分割線ＰＬに対して直交する方向である。皿ネジ１８ａ、１８ｂを締め付けると、上ケース３ｃは、下ケース４ｃに対して左下方向に近づく。それゆえ、皿ネジ１８ａ、１８ｂを締め付けることによって、ケース１０ｃには水平方向と垂直方向の双方に同時に荷重が加わる。皿ネジ１８ａ、１８ｂを締めると上内面３１ａと下内面３２ａに貼着されている伝熱シート７には垂直方向の荷重が加わり、右内面３３ａと左内面３４ａに貼着されている伝熱シート７には水平方向の荷重が加わる。４個の伝熱シート７は同時に圧縮される。コイルユニット２ｃは、分割線ＰＬとは逆の対角方向に締め込まれる皿ネジ１８ａ、１８ｂによって、上ケース３ｃを下ケース４ｃに組み付ける際に、４個の伝熱シート７の夫々を同時に圧縮することができる。
【００２４】
なお、コイルユニット２ｂと２ｃは、ボルトの代わりに皿ネジを採用している。皿ネジは、ネジヘッドの下面にテーパを備えている。皿ネジに対応するネジ孔の入り口には、ネジヘッド下面のテーパに対応するテーパが設けられている。ネジヘッドのテーパとネジ孔の入り口のテーパによって、皿ネジは、締結する２個の部材に対して調芯機能を有する。図１の第１実施例のコイルユニット２のボルト８ａ、８ｂの代わりに皿ネジを用い、上ケース３に設けられるネジ孔の入り口にテーパを設けると、皿ネジの調芯機能により、皿ネジを締め付けることで伝熱シートに水平方向の荷重を加えることができる。
【００２５】
コイルユニット２、２ａ、２ｂ、２ｃは、いずれも、上ケースと下ケースの分割線ＰＬが直方体形状を有するケース内部空間ＳＰの対角方向に直線的に延びている。分割線ＰＬは、ケースの直方体の内部空間ＳＰの対角方向に延びていることに限られない。図１０に、第１変形例のコイルユニット２ｄの正面図を示す。コイルユニット２ｄのケース１０ｄは、上ケース３ｄと下ケース４ｄに分割されており、その分割線ＰＬは、コイル５の捲回軸線方向（Ｘ方向）からみたときにクランク状に屈曲している。そのようなコイルユニット２ｄでも、先の第１実施例のコイルユニット２と同様の効果を奏する。ただし、コイルユニットのケースの分割線ＰＬは、捲回軸線方向からみたときに直方体の内部空間ＳＰの概ね対角方向に延びていることが好ましい。
【００２６】
図１１に、第２変形例のコイルユニット２ｅの正面図を示す。コイルユニット２ｅのケース１０ｅは上ケース３ｅと下ケース４ｅに分割されている。分割線ＰＬは、ケース１０ｅの直方体の内部空間ＳＰの対角方向に延びている。そして、ケース１０ｅには、捲回軸線方向（図中のＸ方向）を向く壁に開口１１を備えている。このように本明細書が開示するコイルケースは、その壁面に開口を備えていてもよい。
【００２７】
（第２実施例）図１２と図１３を参照して第２実施例のコイルユニット２ｆを説明する。図１２と図１３は、コイルユニット２ｆの斜視図である。図１２は、上ケース３ｆと下ケース４ｆを分離した状態を示しており、図１３は、上ケース３ｆと下ケース４ｆが結合した状態を示している。
【００２８】
コイルユニット２ｆは、２個のコイル５ａ、５ｂと、リング状のコア６ａを備えている。リング状のコア６ａは、一対の平行部分を有しており、夫々の平行部分にコイル５ａ、５ｂが捲回されている。なお、コイル５ａ、５ｂは、１本の平角線で作られており、電気的には１個のコイルである。
【００２９】
ケース１０ｆは、上ケース３ｆと下ケース４ｆに分割されている。上ケース３ｆは、コイル５ａ、５ｂの捲回軸線方向（図中のＸ方向）に平行な４個の内面（上内面３１ａ、下内面３２ａ、右内面（符号は不図示であるが、便宜上、右内面３３ａとする。）、左内面３４ａ）のうち、隣接する２個の内面（上内面３１ａと右内面３３ａ）を有しており、下ケース４ｆは、残りの隣接する２個の内面（下内面３２ａと左内面３４ａ）を有している。コイル５ａ、５ｂからは引き出し線５６が延びている。下ケース４ｆには、コイルの引き出し線５６が通るスリット４１が設けられている。
【００３０】
コイル５ａ、５ｂを包括する直方体を仮想的なコイルとみなすと、その仮想的なコイルの側面と対向するケース１０ｆの夫々の内面と仮想的なコイルの側面との間には、伝熱シート７が圧縮状態で挟まれる。なお、伝熱シート７は、ケース１０ｆの内面に貼着されるが、理解を助けるため、図１２では、コイルの側面に伝熱シート７を描いてある。
【００３１】
上ケース３ｆと下ケース４ｆは、ボルト８ａ、８ｂで締結される。ボルト８ａは垂直方向に締め込まれ、ボルト８ｂは水平方向に締め込まれる。第２実施例のコイルユニット２ｆは、図８のコイルユニット２ｂと同様に、ボルト８ａ、８ｂを締め込むことによって、ケース１０ｆの内部の伝熱シート７が圧縮される。
【００３２】
このように、本明細書が開示する技術は、複数のコイルを有するコイルユニットに適用することができる。その場合、複数のコイルを包含する直方体を仮想的なコイルとみなし、その仮想的なコイルの４個の側面の夫々と対向するケース内面との間に、伝熱シートが圧縮状態で挟まれる。
【００３３】
実施例で説明した技術に関する留意点を述べる。実施例のコイルユニットでは、いずれも、コイル軸線方向と平行なケースの４個の内面の夫々とコイル側面との間に伝熱シートが圧縮状態で挟まれている。本明細書が開示する技術は、コイル軸線方向と平行なケースの４個の内面のうち、少なくとも一対の対向面の夫々とコイル側面との間に伝熱シートが圧縮状態で挟まれているコイルユニットに適用することも好適である。例えば、図１に示したコイルユニットでは、上内面３１ａと下内面３２ａが、一対の対向面を構成し、右内面３３ａと左内面３４ａが、別の一対の対向面を構成する。二対の対向面のうち、一方の対向面の夫々とコイル側面との間に伝熱シートを挟み、他方の対向面には伝熱シートを配置しなくてもよい。図１に示したケース１０（対角方向で分割されたケース）であれば、二対の対向面のうち、いずれの対向面であっても、圧縮された伝熱シートを容易に挟み込むことができる。従来のケースでは、ケース内面のうち、対向する底面及び天面の夫々とコイル側面との間に伝熱シートを圧縮した状態で挟むことは容易であるが、他の対向面の夫々とコイル側面との間に伝熱シートを圧縮された状態で挟むことは作業性が悪い。本明細書が開示する技術は、一対の伝熱シートを圧縮した状態で挟む場合であっても、内面を選ばないという利点がある。
【００３４】
実施例の上ケースが第１分割ケースの一例に相当する。実施例の下ケースが第２分割ケースの一例に相当する。コイルユニット２ｄを除き、実施例と変形例のコイルユニットでは、それらのケースは、コイルの捲回軸線方向からみて直方体のケース内部空間の一方の対角線に沿って上ケース（第１分割ケース）と下ケース（第２分割ケース）に分割されている。
【００３５】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００３６】
２、２ａ−２ｆ：コイルユニット
３、３ａ−３ｆ：上ケース
４、４ａ−４ｆ：下ケース
５、５ａ、５ｂ：コイル
６、６ａ：コア
７：伝熱シート
８ａ、８ｂ：ボルト
１０、１０ａ−１０ｆ：ケース
１１：開口
１８ａ、１８ｂ：皿ネジ
３１：上壁
３１ａ：上内面
３２：下壁
３２ａ：下内面
３３：右側壁
３３ａ：右内面
３４：左側壁
３４ａ：左内面
４１：スリット
５１ａ：上面
５２ａ：下面
５３ａ：右側面
５４ａ：左側面
５６：引き出し線
ＰＬ、ＰＬａ、ＰＬｂ：分割線
ＳＰ：内部空間
【図１】
2019057644.tif 000003
【図２】
2019057644.tif 000004
【図３】
2019057644.tif 000005
【図４】
2019057644.tif 000006
【図５】
2019057644.tif 000007
【図６】
2019057644.tif 000008
【図７】
2019057644.tif 000009
【図８】
2019057644.tif 000010
【図９】
2019057644.tif 000011
【図１０】
2019057644.tif 000012
【図１１】
2019057644.tif 000013
【図１２】
2019057644.tif 000014
【図１３】
2019057644.tif 000015